(57)【特許請求の範囲】
【請求項１】
上部の両側に耳部（１）が突設され、その耳部（１）を含んで内部が気密な袋状に形成されて、その気密内部に空気を封入することができる風船部（２）と、
その風船部（２）の厚み方向の少なくとも一方の平面に設けられ、上端に開口を有する袋状の収納部（３）と、
前記風船部（２）の上端縁を含み前記収納部（３）の開口縁に挿通され、その開口縁を開閉自在に閉塞する紐（４）と、
を具備し、
前記風船部（２）は前記耳部（１）に連通され、前記風船部（２）に空気を充填した状態で、前記紐（４）を絞って前記開口縁を閉塞するとき、前記耳部（１）がそれに隣接する風船部分と一体に上方に持ち上がるように構成された紐つきバック。
【請求項２】
請求項１において、
前記収納部（３）は、前記耳部（１）を除いて前記風船部（２）の一方の平面の大部分に設けられた紐つきバック。
【請求項３】
請求項１において、
一対の風船部（２）の平面が対向し、夫々の風船部（２）の周縁が上縁を除いて接続され、一対の風船部（２）の対向面間に前記収納部（３）が形成された紐つきバック。
【請求項４】
上部の両側に耳部（１）が突設され、その耳部（１）を含んで内部が気密な袋状に形成されて、その気密内部に空気を封入することができる風船部（２）と、
その風船部（２）の外周を被蔽し、その風船部（２）の厚み方向の少なくとも一方の平面に設けられ、上端に開口を有する袋状の収納部（３）と、
前記風船部（２）の上端縁を含み前記収納部（３）の開口縁に挿通され、その開口縁を開閉自在に閉塞する紐（４）と、
を具備し、
前記風船部（２）に空気を充填した状態で、前記紐（４）を絞って前記開口縁を閉塞するとき、前記耳部（１）がそれに隣接する風船部分と一体に上方に持ち上がるように構成された紐つきバック。
【請求項５】
請求項１〜請求項５のいずれかにおいて、
前記風船部（２）の少なくとも一方の平面に、動物または人形の少なくとも顔部分が描かれた紐つきバック。
【請求項６】
請求項１〜請求項５のいずれかにおいて、
前記風船部（２）に空気充填用の弁部（５）が連通され、
その弁部（５）が、前記耳部（１）または風船部（２）の下縁あるいは収納部（３）内に設けられ、その弁部（５）を介して風船部（２）に空気を挿脱自在に充填できるように構成した紐つきバック。
【請求項７】
請求項１〜請求項６のいずれかにおいて、
前記収納部（３）の底部（１０）が、その上部側に折り込み可能に形成され、その状態で下部に袋状の帽子部（６）が形成され、その帽子部（６）を頭に被せることができるように構成された紐つきバック。
【発明の詳細な説明】
【技術分野】  本発明は、上部両側に耳部が突設された人形または動物の形をした紐つきバックに関する。
【背景技術】  本発明者は、既に紐付きバック（特開２００４−０４３０２７号）のを提案している。
即ち、開口部を開閉自在に閉塞する紐を有するバックであって、バック本体に描かれた動物や人形等の表情や外形が変化する面白みのあるものを提案している。
これは、バック本体の開口縁部の両側に動物または人形に似せた耳部を突設し、その耳部を除くバック本体に紐を設ける。そして紐を絞って開口を閉塞したとき、耳部が立ち上がるように構成したものである。
上記紐付きバックは、バック本体の上部両側に突設された耳部自体もその本体と同一の材料から形成された可撓性の布やフィルムからなる。そのため、紐を絞って開口部を閉塞したとき、耳部が上方に持ち上がるものの、それが折れ曲がってしまうことがあった。
特に、耳部の大きさをより大きく面白いものとすればする程、紐を絞ったときそれが折れ曲がってしまい体裁を悪くしていた。
そこで本発明は、動物または人形に似せた耳部が決して折れ曲がることなく、紐を絞ったときその耳が確実に立ち上がる紐つきバックを提供することを課題とする。
【発明の開示】
請求項１に記載の本発明は、上部の両側に耳部（１）が突設され、その耳部（１）を含んで内部が気密な袋状に形成されて、その気密内部に空気を封入することができる風船部（２）と、
その風船部（２）の厚み方向の少なくとも一方の平面に設けられ、上端に開口を有する袋状の収納部（３）と、
前記風船部（２）の上端縁を含み前記収納部（３）の開口縁に挿通され、その開口縁を開閉自在に閉塞する紐（４）と、
を具備し、
前記風船部（２）は前記耳部（１）に連通され、前記風船部（２）に空気を充填した状態で、前記紐（４）を絞って前記開口縁を閉塞するとき、前記耳部（１）がそれに隣接する風船部分と一体に上方に持ち上がるように構成された紐つきバックである。
請求項２に記載の本発明は、請求項１において、
前記収納部（３）は、前記耳部（１）を除いて前記風船部（２）の一方の平面の大部分に設けられた紐つきバックである。
請求項３に記載の本発明は、請求項１において、
一対の風船部（２）の平面が対向し、夫々の風船部（２）の周縁が上縁を除いて接続され、一対の風船部（２）の対向面間に前記収納部（３）が形成された紐つきバックである。
請求項４に記載の本発明は、上部の両側に耳部（１）が突設され、その耳部（１）を含んで内部が気密な袋状に形成されて、その気密内部に空気を封入することができる風船部（２）と、
その風船部（２）の外周を被蔽し、その風船部（２）の厚み方向の少なくとも一方の平面に設けられ、上端に開口を有する袋状の収納部（３）と、
前記風船部（２）の上端縁を含み前記収納部（３）の開口縁に挿通され、その開口縁を開閉自在に閉塞する紐（４）と、
を具備し、
前記風船部（２）に空気を充填した状態で、前記紐（４）を絞って前記開口縁を閉塞するとき、前記耳部（１）がそれに隣接する風船部分と一体に上方に持ち上がるように構成された紐つきバックである。
請求項５に記載の本発明は、請求項１〜請求項５のいずれかにおいて、
前記風船部（２）の少なくとも一方の平面に、動物または人形の少なくとも顔部分が描かれた紐つきバックである。
請求項６に記載の本発明は、請求項１〜請求項５のいずれかにおいて、
前記風船部（２）に空気充填用の弁部（５）が連通され、
その弁部（５）が、前記耳部（１）または風船部（２）の下縁あるいは収納部（３）内に設けられ、その弁部（５）を介して風船部（２）に空気を挿脱自在に充填できるように構成した紐つきバックである。
請求項７に記載の本発明は、請求項１〜請求項６のいずれかにおいて、
前記収納部（３）の底部（１０）が、その上部側に折り込み可能に形成され、その状態で下部に袋状の帽子部（６）が形成され、その帽子部（６）を頭に被せることができるように構成された紐つきバックである。
本発明の紐つきバックは以上のような構成からなり、次の効果を奏する。
請求項１に記載の本発明によれば、風船部２が耳部１を含んで内部が気密な袋状に形成され、そこに空気を充填した状態で紐４を絞って収納部３の開口縁を閉塞するとき、耳部１が風船部分と一体に上方に持ち上がるように構成したから、収納部３の開閉に伴って確実に耳部１を上下動させることができる。
即ち、耳部１自体が風船部２の一部を構成するから、風船部２の変形と耳部１の変形とを一体に形成し、紐４を絞る際に、耳部１が折れ曲がることを防止する。
逆に言えば、従来技術のように耳部１が風船の一部でない場合には、収納部３を絞ったとき、耳部１が折れ曲がるおそれがあり、体裁の悪いものとなってしまう。しかしながら、本発明は、風船部２が耳部１を含むため、耳部１の折れ曲がりを確実に防止できる。
請求項２に記載の本発明によれば、収納部３が耳部１を除いて風船部２の一方の平面の大部分に設けられているから、収納部３に物を収納し易く且つ、体裁の良い紐つきバックとなる。
請求項３に記載の本発明によれば、一対の風船部２が対向して設けられ、その夫々の周縁が上縁を除いて接続され、その一対の風船部２の中間部に収納部３が設けられたものであるから、内部に空気を充填したとき厚み方向により大きく膨らみ、体裁のよい立体的な紐つきバックとなる。
それと共に、一対の風船部２間に収納部３が設けられているため、バランスが良く、内部に物を収納し易いものとなる。
請求項４に記載の本発明によれば、請求項１に記載の本発明に加えて、風船部２の外周が被蔽されているため、風船部２の損傷を防ぎ、丈夫な紐つきバックとなり得る。そして、それ自体を座布団がわりのクッションとして兼用することが可能となる。
請求項５に記載の本発明によれば、風船部２の少なくとも一方の平面に、動物または人形の少なくとも顔部分が描かれているから、より面白い紐つきバックとなり得る。
請求項６に記載の本発明によれば、風船部２に空気充填用の弁部５が連通され、その弁部５を介して風船部２に空気を挿脱自在に充填できるように構成したから、必要に応じて風船部２を膨らませることができる。
また、風船部２内の空気を抜くことにより、収納部３内の収納容積を大きくしその内部にものを収納し易くすることができる。
請求項７に記載の本発明によれば、収納部３の底部１０がその上部側に折り込み可能に形成され、その状態で下部に袋状の帽子部６が形成されるから、その帽子部６を頭に被せることによりバックを帽子とすることができる。それによって、帽子兼用の紐つきバックとなり得る。
【図面の簡単な説明】  図１は本発明の紐つきバックの第１の実施の形態を示し、（Ａ）はその上端開口を開放した状態の正面図、（Ｂ）は図１（Ａ）のＢ−Ｂ矢視断面図、（Ｃ）は図１（Ａ）のＣ−Ｃ断面略図である。
図２は同バックの上端開口を閉塞した状態を示す正面図である。
図３は本発明の紐つきバックの第２の実施の形態を示す縦断面図である。
図４は同紐つきバックの第３の実施の形態を示す縦断面図である。
図５は同紐つきバックの第４の実施の形態を示す縦断面図である。
図６は同紐つきバックの第５の実施の形態を示す縦断面図である。
図７は同紐つきバックの第６の実施の形態を示す正面図である。
図８は同紐つきバックの第７の実施の形態を示す正面図および各断面図である。
図９は同紐つきバックの第８の実施の形態を示す縦断面図である。
【発明を実施するための最良の形態】  次に、図面に基づいて本発明の各実施の形態につき説明する。
図１は本発明の紐つきバックであって、その上端開口を開放した状態を示し、図２はそれを閉塞した状態を示す。そして図１（Ａ）はその正面図を示し、図１（Ｂ）は図１（Ａ）のＢ−Ｂ矢視断面図、図１（Ｃ）は図１（Ａ）のＣ−Ｃ断面略図である。
この紐つきバックは、軟質の合成樹脂フィルムからなり、正面図において全体に動物や人形の表情が描かれた顔絵８を有し、その外形がその顔の輪郭とされている。そして図１（Ｂ），図１（Ｃ）に示す如く、その正面側に風船部２が設けられ、裏面側に収納部３が設けられている。
風船部２は、上部両側に突設された耳部１を含み、正面側全体が気密な袋状に形成されている。そしてこの例では、その風船部２の底部に弁部５が設けられ、風船部２の内部に空気を挿脱自在に充填できるように構成されている。
次に、収納部３はその平面が、風船部２の耳部１部分を除いた外周に整合されている。そして収納部３の上端縁および風船部２の上端縁には、細長い筒状の紐挿通部７が環状に形成され、その環状の一部が欠切され、一対の紐４がその紐挿通部７に挿入され、夫々の紐４の両端が１８０°異なった位置から一部突出されている。
なお、このバックは風船部２が一対の軟質樹脂フィルムの全周縁が気密に溶着または接着等の手段により接合されている。また、収納部３はその上端開口を除いてその周縁が風船部２の裏面側に溶着または接着等の手段により接合されている。
次に、図１の例では風船部２の下端に弁部５を設けたが、それに代えて図６の如く収納部３内に弁部５を設け、或いは図７の如く耳部１に弁部５を設けても良い。
また、その弁部５は図示のものに限らず、公知の各種の弁を使用することができる。例えば、逆止弁付きのものを使用することができる。これは、図示のものよりも簡易なもので、弁の内部に逆止弁として舌状のものが開閉自在に内装され、ストローを差し込んで風船部２内に空気を充填し、そのストローを抜けば、内圧で逆止弁が閉塞し、その充填状態を保つことができる。内部の空気を抜くときは、やはり弁にストローを差し込んで、舌状の逆止弁を開放すればよい。
何れの場合にも、弁部５から空気を充填することにより、耳部１を含んで風船部２全体が膨らむ。それによって、耳部１と他の部分とが一体に形成され、空気が充填された状態においては、耳部１の付根部分の剛性が強くなる。
そして一対の紐４を図２の如く絞ったとき、耳部１の付根部分は決して折れ曲がることなく、上方へ立ち上がる。それにより、描かれた動物や人形の表情や外見が変化し、面白みのある紐つきバックとなる。
次に、図３は本発明の紐つきバックの第２の実施の形態を示し、前記の第１の実施の形態において、図１（Ｃ）に相当するものである。
この例の紐つきバックは、風船部２が一対対向して配置され、それらの間に収納部３が形成されたものである。そして一対の風船部２は、夫々の周縁が気密に閉塞されると共に、その上端縁を除いて両風船部２の周縁部は互いに接合されている。
なお、一対の風船部２に夫々前記弁部５を取付けることができる。また、一対の風船部２を内部で互いに連通することにより一方のみの風船部２に弁部５を取付けることもできる。その弁部５の取付け位置は、図１（Ａ）のものであって、図６または図７の例であっても良い。
次に、図４は本発明の紐つきバックの第３の実施の形態を示し、この例は風船部２が独立して形成され、その外周を布材９によって被蔽し、布材９を含んで内部が袋状の収納部３となる。そして布材９の上端に開口を有し、そこに紐挿通部７が形成され、その紐挿通部７に紐４が一対挿通されている。
なお、風船部２内に空気を挿脱自在に充填するため、風船部２には布材９を貫通して弁部５を設けることができる。また、図４の例では風船部２全体を布材９で被覆したが、風船部２の正面側のみに布材９を被覆して両者間を接合しても良い。
次に、図５は図４のさらに変形例であり、この例は一対の独立した風船部２が夫々布材９によって被覆されている。図４および図５の如く形成することにより、風船部２表面の損傷を防ぎ、破れ難い風船部２を形成できる。そして風船部２内に空気を充満することにより、バック全体をクッションの代わりとして、その上に座ることができるようになる。
次に、図８は本発明のさらに他の実施の形態を示し、この例は帽子を兼用し得る紐つきバックである。同図（Ａ）は正面図であり、（Ｂ）は（Ａ）のＢ−Ｂ矢視断面図、（Ｃ）はその収納部３の底部を折り曲げると共に、紐４を絞って帽子状に形成したものであり、（Ｄ）はそれを頭部１１に被せた状態を示す断面図である。
この例の紐つきバックは、収納部３が風船部２より下方に垂れ下がり、その底部１０が図８（Ｄ）の如く上方に折れ曲がるようにしたものである。このようにすることにより、底部１０が袋状の帽子部６を形成し、それを同図の如く頭部１１に被せることができるものである。なお、図８（Ｄ）は図８（Ｃ）のＤ−Ｄ矢視断面図である。
次に、図９は本発明のさらに他の実施の形態を示し、図８の変形例である。この例は一対の風船部２が互いに対向して設けられ、収納部３の底部１０がその一対の風船部２間に挿入できるようにしたものである。それにより、袋状の帽子部を形成できる。
なお、図９において底部１０を一対の風船部２に挿入した状態の正面図は図８（Ｃ）と同一である。
【図１】
0004431575.tif 000002
【図２】
0004431575.tif 000003
【図３】
0004431575.tif 000004
【図４】
0004431575.tif 000005
【図５】
0004431575.tif 000006
【図６】
0004431575.tif 000007
【図７】
0004431575.tif 000008
【図８】
0004431575.tif 000009
【図９】
0004431575.tif 000010